(57)【要約】      （修正有）【課題】食缶の利便性を高める、食缶および食缶セットを提供する。【解決手段】円形の開口４５を有する円筒状の側壁４および前記側壁の下端を塞ぐ底壁５を有する本体２と、前記開口の縁部４６よりも大きい内径の凹部３１を有し、前記開口を塞ぐ蓋３と、を備えている。前記側壁は、前記底壁側に位置する第１部分４１と、前記縁部を含む第２部分４２と、を有している。前記第１部分は、前記本体の深さ方向に対して第１角度θ１で傾斜し、前記第２部分との境界に向けて内径が大きくなる筒状である。前記第２部分４２は、前記第１角度よりも小さい第２角度θ２で前記深さ方向に対して傾斜し、前記縁部に向けて内径が大きくなるか、あるいは内径が一定の筒状である。【選択図】図２
0003234360.tif 000002
【実用新案登録請求の範囲】
【請求項１】
円形の開口を有する円筒状の側壁および前記側壁の下端を塞ぐ底壁を有する本体と、
前記開口の縁部よりも大きい内径の凹部を有し、前記開口を塞ぐ蓋と、を備え、
前記側壁は、前記底壁側に位置する第１部分と、前記縁部を含む第２部分と、を有し、
前記第１部分は、前記本体の深さ方向に対して第１角度で傾斜し、前記第２部分との境界に向けて内径が大きくなる筒状であり、
前記第２部分は、前記第１角度よりも小さい第２角度で前記深さ方向に対して傾斜し、前記縁部に向けて内径が大きくなるか、あるいは内径が一定の筒状である、食缶。
【請求項２】
持手と、前記持手を前記側壁に連結する連結具と、をさらに備え、
前記連結具は、前記第２部分に取り付けられている、
請求項１に記載の食缶。
【請求項３】
前記連結具は、前記第１部分および前記第２部分に跨るように取り付けられている、
請求項２に記載の食缶。
【請求項４】
それぞれ請求項１乃至３のうちいずれか１項に記載の食缶である第１食缶および第２食缶を含む食缶セットであって、
前記第１食缶の前記本体の容量と、前記第２食缶の前記本体の容量とが異なり、
前記第１食缶の前記縁部の径と、前記第２食缶の前記縁部の径とが同じであり、
前記第１食缶の前記蓋と、前記第２食缶の前記蓋とが同じ形状を有している、食缶セット。
【請求項５】
前記第１食缶の前記第１角度と、前記第２食缶の前記第１角度とが同じであり、
前記第１食缶の前記第２角度と、前記第２食缶の前記第２角度とが異なる、
請求項４に記載の食缶セット。
【請求項６】
前記第１食缶の前記第１角度と、前記第２食缶の前記第１角度とが同じであり、
前記第１食缶の前記第１部分の深さと、前記第２食缶の前記第１部分の深さとが異なる、
請求項４に記載の食缶セット。
【請求項７】
前記第１食缶の前記第１部分の深さと、前記第２食缶の前記第１部分の深さとが同じであり、
前記第１食缶の前記第２部分の深さと、前記第２食缶の前記第２部分の深さとが異なる、
請求項４乃至６のうちいずれか１項に記載の食缶セット。
【考案の詳細な説明】
【技術分野】
【０００１】
本考案は、汁や惣菜等の食品を入れるための食缶および食缶セットに関する。
【背景技術】
【０００２】
学校給食、社員食堂、あるいは飲食店等では、汁や惣菜等の食品を入れる食缶がよく用いられている。食缶は、一般的には円筒状の本体と、本体の開口を塞ぐための蓋とを備えている。
【０００３】
多くの場合、本体は底壁から開口に向けて内径が大きくなる形状を有している。このような形状であれば、複数の食缶を未使用時に重ねて効率的に収納することが可能である。
【考案の概要】
【考案が解決しようとする課題】
【０００４】
同型であっても本体の容量が異なる複数種類の食缶が存在することがある。本体が底壁から開口に向けて内径が大きくなる形状を有していると、当然ながら容量が異なる各本体に適合する蓋のサイズも異なる。
【０００５】
蓋のサイズが異なれば、本体に適合するものを見分ける手間がかかる可能性がある。また、製造時には各蓋のための異なる型を用意する必要があるし、蓋と本体の組み合わせを誤る可能性もある。
【０００６】
このように、従来の食缶には改善の余地があった。そこで、本考案は、食缶の利便性を高めることを目的の一つとする。
【課題を解決するための手段】
【０００７】
一実施形態に係る食缶は、円形の開口を有する円筒状の側壁および前記側壁の下端を塞ぐ底壁を有する本体と、前記開口の縁部よりも大きい内径の凹部を有し、前記開口を塞ぐ蓋と、を備えている。
【０００８】
前記側壁は、前記底壁側に位置する第１部分と、前記縁部を含む第２部分と、を有している。前記第１部分は、前記本体の深さ方向に対して第１角度で傾斜し、前記第２部分との境界に向けて内径が大きくなる筒状である。前記第２部分は、前記第１角度よりも小さい第２角度で前記深さ方向に対して傾斜し、前記縁部に向けて内径が大きくなるか、あるいは内径が一定の筒状である。
【０００９】
好適には、食缶は、持手と、前記持手を前記側壁に連結する連結具と、をさらに備えている。前記連結具は、例えば前記第２部分に取り付けられている。前記連結具は、前記第１部分および前記第２部分に跨るように取り付けられてもよい。
【００１０】
一実施形態に係る食缶セットは、それぞれ上述の食缶である第１食缶および第２食缶を含み、前記第１食缶の前記本体の容量と、前記第２食缶の前記本体の容量とが異なる。さらに、前記第１食缶の前記縁部の径と、前記第２食缶の前記縁部の径とが同じであり、前記第１食缶の前記蓋と、前記第２食缶の前記蓋とが同じ形状を有している。
【００１１】
例えば、前記第１食缶の前記第１角度と、前記第２食缶の前記第１角度とが同じであり、前記第１食缶の前記第２角度と、前記第２食缶の前記第２角度とが異なってもよい。
【００１２】
また、前記第１食缶の前記第１角度と、前記第２食缶の前記第１角度とが同じであり、前記第１食缶の前記第１部分の深さと、前記第２食缶の前記第１部分の深さとが異なってもよい。
【００１３】
さらに他の例として、前記第１食缶の前記第１部分の深さと、前記第２食缶の前記第１部分の深さとが同じであり、前記第１食缶の前記第２部分の深さと、前記第２食缶の前記第２部分の深さとが異なってもよい。
【考案の効果】
【００１４】
本考案によれば、食缶の利便性を高めることができる。
【図面の簡単な説明】
【００１５】
【図１】図１は、一実施形態に係る食缶の概略的な側面図である。
【図２】図２は、一実施形態に係る他の食缶の概略的な側面図である。
【図３】図３は、一実施形態に係る食缶セットの一例を示す図である。
【図４】図４は、一実施形態に係る食缶セットの他の一例を示す図である。
【図５】図５は、一実施形態に係る食缶セットのさらに他の一例を示す図である。
【考案を実施するための形態】
【００１６】
本考案の一実施形態につき、図面を参照しながら説明する。  
本実施形態においては、複数の食缶により構成される食缶セットを例示する。食缶セットを構成する各食缶は、個々に販売（譲渡）されるものであってもよいし、纏めて販売さされるものであってもよい。
【００１７】
図１は、食缶１Ａの概略的な側面図である。食缶１Ａは、本体２と、蓋３とを備えている。図１の例においては、本体２および蓋３の一部を破断してこれらの断面を示している。
【００１８】
本体２は、円筒状の側壁４と、側壁の下端を塞ぐ円板状の底壁５とを有している。図１の例においては、側壁４と底壁５が一体的である。このような側壁４および底壁５は、例えばヘラ絞り加工により形成することができる。
【００１９】
側壁４は、底壁５の近傍に設けられた環状の装着部４０と、装着部４０の上方に位置する第１部分４１とを有している。装着部４０には、本体２の半径方向における外側に突出する環状の凸部４０ａが設けられている。
【００２０】
装着部４０は、環状のカバー部材６の内側に嵌められている。カバー部材６は、凸部４０ａに応じた形状に変形しており、これによりカバー部材６が装着部４０に対して抜け止めされている。カバー部材６の下方の縁部６０は、底壁５よりも下方に突出している。
【００２１】
側壁４の上端の開口４５の周囲には、環状の縁部４６が設けられている。例えば、縁部４６は、側壁４の上端を外側に折り曲げることで形成されている。開口４５および縁部４６は、いずれも平面視における形状が円形である。
【００２２】
側壁４の第１部分４１は、各所の厚さが一定であり、縁部４６に向けて内径が大きくなる筒状である。第１部分４１は、本体２の深さ方向ＤＸ（上下方向）に対して第１角度θ１で傾斜している。第１角度θ１は鋭角であり、一例では５度以上かつ１０度以下の範囲で定め得る。
【００２３】
側壁４には、目盛４７が形成されている。この目盛４７は、本体２を内側から見たときに視認可能な数字（図１の例では「４」，「６」，「８」，「１０」リットル）を含む。
【００２４】
食缶１Ａは、持手７と、持手７を側壁４に連結する一対の連結具８とをさらに備えている。一対の連結具８は、縁部４６の近傍において側壁４（第１部分４１）の外周面に取り付けられている。持手７は、半円状に形成され、両端部がそれぞれ連結具８により支持されている。
【００２５】
蓋３は、平面視において円形の円盤部３０と、円盤部３０の中心に設けられたつまみ３１とを備えている。円盤部３０は、縁部４６の直径Ｄよりも僅かに大きい内径の凹部３２を有している。蓋３を本体２に被せると、縁部４６が全体的に凹部３２の底面に接触する。すなわち、開口４５が蓋３により塞がれる。
【００２６】
食缶１Ａの各部は、例えば金属材料で形成されている。この金属材料としては、表面に酸化処理が施されたアルミニウム等を用いることができる。
【００２７】
図２は、食缶１Ｂの概略的な側面図である。食缶１Ｂは、食缶１Ａと同様の本体２および蓋３を備えている。ただし、食缶１Ｂの本体２の容量は、食缶１Ａの本体２の容量よりも大きい。
【００２８】
食缶１Ｂの側壁４は、第１部分４１に加えて第２部分４２を有している。第１部分４１と第２部分４２は、一体的に形成されている。図２の例においては、第２部分４２の深さ（深さ方向ＤＸにおける長さ）が第１部分４１の深さよりも小さいが、この例に限られない。
【００２９】
第２部分４２は、第１部分４１よりも上方に位置し、縁部４６を含む。第１部分４１は、第２部分４２よりも底壁５側に位置している。第１部分４１は、第２部分４２との境界ＢＬに向けて内径が大きくなる筒状であり、深さ方向ＤＸに対して食缶１Ａと同じ第１角度θ１で傾斜している。
【００３０】
図２の例において、第２部分４２は、縁部４６に向けて内径が大きくなる筒状である。第２部分４２は、深さ方向ＤＸに対して第２角度θ２で傾斜している。第２角度θ２は、第１角度θ１よりも小さい鋭角である。
【００３１】
他の例として、第２角度θ２は、０度であってもよい。この場合において、第２部分４２は、内径および外径が一定の筒状である。
【００３２】
図２の例においては、各連結具８が全体的に第２部分４２に取り付けられている。すなわち、各連結具８は、深さ方向ＤＸにおいて境界ＢＬと縁部４６の間に位置している。
【００３３】
他の例として、破線で示す境界ＢＬのように、各連結具８と境界ＢＬが重なっていてもよい。この場合においては、各連結具８が第１部分４１および第２部分４２に跨るように側壁４に対して取り付けられる。
【００３４】
食缶１Ｂの縁部４６は、食缶１Ａと同じ直径Ｄを有している。開口４５の内径も食缶１Ａと同じである。蓋３の形状は、食缶１Ａの蓋３と同じである。すなわち、蓋３は、食缶１Ａと食缶１Ｂで共用できる。
【００３５】
食缶１Ｂの底壁５の直径は、食缶１Ａの底壁５の直径と同じである。また、食缶１Ｂのカバー部材６の形状は、食缶１Ｂのカバー部材６の形状と同じである。
【００３６】
図３は、本実施形態に係る食缶セットの一例を示す図である。この食缶セットは、少なくとも食缶１Ａ，１Ｂ，１Ｃを含む。食缶１Ａの本体２は、図１に示した通り第１部分４１を有し、第２部分４２を有さない。食缶１Ｂの本体２は、食缶１Ａよりも容量が大きく、第１部分４１と第２部分４２を含む。食缶１Ｃの本体２は、食缶１Ｂよりも容量が大きく、第１部分４１と第２部分４２を含む。
【００３７】
食缶１Ａ，１Ｂ，１Ｃの縁部４６は、同じ直径Ｄを有している。したがって、食缶１Ａ，１Ｂ，１Ｃのいずれかの蓋３は、他の食缶に対しても用いることができる。これらの蓋３の形状は、例えば完全に同じである。
【００３８】
図３の例においては、食缶１Ａ，１Ｂ，１Ｃの第１部分４１がいずれも同じ第１角度θ１で傾いている。一方、食缶１Ｂ，１Ｃの第２部分４２は、異なる第２角度θ２で傾いている。具体的には、食缶１Ｃの第２角度θ２は、食缶１Ｂの第２角度θ２よりも小さい。
【００３９】
また、食缶１Ｂ，１Ｃの第１部分４１の深さＨＢ１，ＨＣ１は、いずれも食缶１Ａの第１部分４１の深さＨＡ１よりも小さい。深さＨＢ１，ＨＣ１は、例えば同じである。さらに、食缶１Ｃの第２部分４２の深さＨＣ２は、食缶１Ｂの第２部分４２の深さＨＢ２よりも大きい。
【００４０】
このように、図３の例においては、深さＨＡ１，ＨＢ１，ＨＣ１，ＨＢ２，ＨＣ２と第２角度θ２の調整により、食缶１Ａ，１Ｂ，１Ｃの容量を異ならせつつも、これら食缶１Ａ，１Ｂ，１Ｃの縁部４６の直径Ｄを同一としている。
【００４１】
図４は、本実施形態に係る食缶セットの他の一例を示す図である。この食缶セットは、少なくとも食缶１Ａ，１Ｂ，１Ｃを含む。食缶１Ａの本体２は、図１に示した通り第１部分４１を有し、第２部分４２を有さない。食缶１Ｂの本体２は、食缶１Ａよりも容量が大きく、第１部分４１と第２部分４２を含む。食缶１Ｃの本体２は、食缶１Ｂよりも容量が大きく、第１部分４１と第２部分４２を含む。
【００４２】
図４の例においても、食缶１Ａ，１Ｂ，１Ｃの縁部４６は、同じ直径Ｄを有している。したがって、食缶１Ａ，１Ｂ，１Ｃのいずれかの蓋３は、他の食缶に対しても用いることができる。これらの蓋３の形状は、例えば完全に同じである。
【００４３】
図４の例においては、食缶１Ａ，１Ｂ，１Ｃの第１部分４１がいずれも同じ第１角度θ１で傾いている。また、食缶１Ｂ，１Ｃの第２部分４２は、同じ第２角度θ２で傾いている。
【００４４】
食缶１Ｂ，１Ｃの第１部分４１の深さＨＢ１，ＨＣ１は、いずれも食缶１Ａの第１部分４１の深さＨＡ１よりも小さい。図４の例においては、深さＨＣ１が深さＨＢ１よりも小さい。また、図４の例においては、食缶１Ｃの第２部分４２の深さＨＣ２が、食缶１Ｂの第２部分４２の深さＨＢ２よりも大きい。
【００４５】
このように、図４の例においては、深さＨＡ１，ＨＢ１，ＨＣ１，ＨＢ２，ＨＣ２の調整により、食缶１Ａ，１Ｂ，１Ｃの容量を異ならせつつも、これら食缶１Ａ，１Ｂ，１Ｃの縁部４６の直径Ｄを同一としている。
【００４６】
図５は、本実施形態に係る食缶セットのさらに他の一例を示す図である。この食缶セットは、少なくとも食缶１Ａ，１Ｂ，１Ｃを含む。食缶１Ａの本体２は、図１に示した通り第１部分４１を有し、第２部分４２を有さない。食缶１Ｂの本体２は、食缶１Ａよりも容量が大きく、第１部分４１と第２部分４２を含む。食缶１Ｃの本体２は、食缶１Ｂよりも容量が大きく、第１部分４１と第２部分４２を含む。
【００４７】
図５の例においても、食缶１Ａ，１Ｂ，１Ｃの縁部４６は、同じ直径Ｄを有している。したがって、食缶１Ａ，１Ｂ，１Ｃのいずれかの蓋３は、他の食缶に対しても用いることができる。これらの蓋３の形状は、例えば完全に同じである。
【００４８】
図５の例においては、食缶１Ａ，１Ｂ，１Ｃの第１部分４１がいずれも同じ第１角度θ１で傾いている。一方、食缶１Ｂ，１Ｃの第２部分４２は、異なる第２角度θ２で傾いている。具体的には、食缶１Ｃの第２角度θ２は、食缶１Ｂの第２角度θ２よりも小さい。
【００４９】
食缶１Ｂ，１Ｃの第１部分４１の深さＨＢ１，ＨＣ１は、いずれも食缶１Ａの第１部分４１の深さＨＡ１よりも小さい。図５の例においては、深さＨＣ１が深さＨＢ１よりも大きい。また、図５の例においては、食缶１Ｃの第２部分４２の深さＨＣ２と、食缶１Ｂの第２部分４２の深さＨＢ２とが同じである。
【００５０】
このように、図５の例においては、深さＨＡ１，ＨＢ１，ＨＣ１および第２角度θ２の調整により、食缶１Ａ，１Ｂ，１Ｃの容量を異ならせつつも、これら食缶１Ａ，１Ｂ，１Ｃの縁部４６の直径Ｄを同一としている。
【００５１】
なお、図３ないし図５の例においては３つの食缶１Ａ，１Ｂ，１Ｃにより食缶セットが構成される場合を想定したが、食缶セットは直径Ｄが同一である２種類の食缶により構成されてもよいし、直径Ｄが同一である４種類以上の食缶により構成されてもよい。食缶セットは、同一形状の複数の食缶を含んでもよい。また、図３ないし図５にそれぞれ示した食缶１Ａ，１Ｂ，１Ｃにより食缶セットが構成されてもよい。
【００５２】
以上の本実施形態によれば、複数の食缶で蓋３を共用化することが可能となる。これにより、複数種類（容量）の食缶が調理場等で用いられる場合において、各食缶に対応する蓋を見分ける必要がない。さらに、食缶の製造時には、食缶ごとに蓋の型を変えたり製造工程を変えたりする必要がなくなり、出荷時等に蓋と本体との組み合わせを誤ることもない。
【００５３】
本実施形態に係る食缶セットにおいては、主に第２部分４２によって各食缶の容量を変えつつも、第１部分４１の第１角度θ１は各食缶で同じである。したがって、各食缶の第１部分４１は互いに重ねることが可能であり、未使用時にはコンパクトに収納することができる。
【００５４】
図２の例においては、持手７の連結具８が第２部分４２に取り付けられている。仮に連結具８が第１部分４１に設けられていると、複数の食缶を重ねる際に、重ねることが可能な深さが小さくなる。これに対し、図２の構成であれば、少なくとも第１部分４１の全体を重ねることが可能となる。
【００５５】
以上の他にも、本実施形態からは種々の好適な効果を得ることができる。これら効果により、利便性の高い食缶および食缶セットを提供することができる。
【符号の説明】
【００５６】
１Ａ，１Ｂ，１Ｃ…食缶、２…本体、３…蓋、４…側壁、５…底壁、６…カバー部材、７…持手、８…連結具、３１…凹部、４１…第１部分、４２…第２部分、４５…開口、４６…縁部、Ｄ…縁部の直径、θ１…第１角度、θ２…第２角度。
【図１】
0003234360.tif 000003
【図２】
0003234360.tif 000004
【図３】
0003234360.tif 000005
【図４】
0003234360.tif 000006
【図５】
0003234360.tif 000007